(57)【要約】【課題】筐体に内蔵された特定の電気部品を他の電気部品よりも良好に冷却する。【解決手段】冷却駆動部品８のモータがファンを駆動すると、空気が筐体２；３の外部から通気孔３０、筐体２；３の内部、排気孔２０を順に経由して筐体２；３の外部に排出されるように流れて電気部品を空冷する場合、筐体２；３の内部において、空気は、矢印Ｘ１で示すように、ＣＰＵ７３よりも下側の導入壁２６、冷却通路３９、ＣＰＵ７３よりも上側の導出壁２８、冷却駆動部品８を経由して排気孔２０に至り、空気が冷却通路３９を通過する場合、空気が導入壁２６よりも下側の内部空間や導出壁２８よりも上側の内部空間を通過する場合より流速が速くなるので、ＣＰＵ７３が制御回路基板６やバックライト回路基板７に実装された他の電気部品よりも良好に冷却される。【選択図】図１
2007068753.tif 000002
【特許請求の範囲】
【請求項１】
複数の電気部品の実装された制御回路基板およびファンをモータで駆動する冷却駆動部品が筐体に内蔵され、筐体には通気孔および排気孔が形成され、冷却駆動部品のモータがファンを駆動すると、空気が筐体の外部から通気孔、筐体の内部、排気孔を順に経由して筐体の外部に排出されるように流れて電気部品を空冷する遊技電気部品冷却装置において、複数の電気部品における特定の電気部品を他の電気部品よりも良好に冷却するために、筐体の内部には左仕切壁と右仕切壁と導入壁と狭窄壁および導出壁が設けられ、左仕切壁と右仕切壁との間には特定の電気部品が左仕切壁および右仕切壁に接触しないように取り込まれ、左仕切壁および右仕切壁が制御回路基板に接触するかまたは接触する程度に近づき、狭窄壁が特定の電気部品に近接され、狭窄壁と特定の電気部品との間には前後方向の寸法の少ない狭小な冷却通路が形成され、導入壁が特定の電気部品よりも下側に配置され、導出壁が特定の電気部品よりも上側に配置されたことを特徴とする遊技電気部品冷却装置。
【請求項２】
狭窄壁が導入壁の側から導出壁の側に行くに従って徐々に傾斜する斜面を構成したことを特徴とする請求項１記載の遊技電気部品冷却装置。
【請求項３】
左仕切壁と右仕切壁との間には、下側から上側に行くに従って徐々に前側から後側に突出する斜面を構成する分離壁が設けられ、分離壁の下縁部が制御回路基板の上縁部に接触するかまたは接触する程度に近づいて配置されたことを特徴とする請求項１記載の遊技電気部品冷却装置。
【発明の詳細な説明】
【技術分野】
【０００１】
本発明は、筐体に内蔵された特定の電気部品を他の電気部品よりも良好に冷却する遊技電気部品冷却装置に関する。
【背景技術】
【０００２】
遊技電気部品冷却装置には、次のような構造のものが知られている。それは、冷却駆動部品および電気部品が筐体に内蔵され、冷却駆動部品のモータがファンを駆動すると、空気が筐体の外部から内部を経由して外部に排出されるように流れて電気部品を空冷する、構成である。しかしながら、特定の電気部品を他の電気部品よりも良好に冷却することができないという欠点がある。
【特許文献１】特開２００４−４９２８８号公報
【特許文献２】特開２００２−４５５３０号公報
【特許文献３】特開２０００−２２７８２３号公報
【特許文献４】特開２００４−１４６４５８号公報
【発明の開示】
【発明が解決しようとする課題】
【０００３】
発明が解決しようとする問題点は、筐体に内蔵された電気部品のうちで特定の電気部品を他の電気部品よりも良好に冷却できないという点である。
【課題を解決するための手段】
【０００４】
本発明に係る遊技電気部品冷却装置は、複数の電気部品の実装された制御回路基板およびファンをモータで駆動する冷却駆動部品が筐体に内蔵され、筐体には通気孔および排気孔が形成され、冷却駆動部品のモータがファンを駆動すると、空気が筐体の外部から通気孔、筐体の内部、排気孔を順に経由して筐体の外部に排出されるように流れて電気部品を空冷する遊技電気部品冷却装置において、複数の電気部品における特定の電気部品を他の電気部品よりも良好に冷却するために、筐体の内部には左仕切壁と右仕切壁と導入壁と狭窄壁および導出壁が設けられ、左仕切壁と右仕切壁との間には特定の電気部品が左仕切壁および右仕切壁に接触しないように取り込まれ、左仕切壁および右仕切壁が制御回路基板に接触するかまたは接触する程度に近づき、狭窄壁が特定の電気部品に近接され、狭窄壁と特定の電気部品との間には前後方向の寸法の少ない狭小な冷却通路が形成され、導入壁が特定の電気部品よりも下側に配置され、導出壁が特定の電気部品よりも上側に配置されたことを最も主要な特徴とする。狭窄壁が導入壁の側から導出壁の側に行くに従って徐々に傾斜する斜面を構成したり、左仕切壁と右仕切壁との間には、下側から上側に行くに従って徐々に前側から後側に突出する斜面を構成する分離壁が設けられ、分離壁の下縁部が制御回路基板の上縁部に接触するかまたは接触する程度に近づいて配置されたりしてもよい。
【発明の効果】
【０００５】
本発明に係る遊技電気部品冷却装置は、冷却駆動部品のモータがファンを駆動すると、空気が筐体の外部から通気孔、筐体の内部、排気孔を順に経由して筐体の外部に排出されるように流れて電気部品を空冷する場合、筐体の内部において、空気が特定の電気部品よりも下側の導入壁、冷却通路、特定の電気部品よりも上側の導出壁、冷却駆動部品を順に経由して排気孔に至る過程において、冷却通路が狭窄壁と特定の電気部品との間の前後方向の寸法の少ない狭小であって、この狭小な冷却通路を空気が通過するので、空気が冷却通路を通過する流速は、空気が導入壁よりも下側の内部空間や導出壁よりも上側の内部空間を通過する流速より速く、制御回路基板に実装された特定の電気部品が他の電気部品よりも良好に冷却されるという利点がある。狭窄壁が導入壁の側から導出壁の側に行くに従って徐々に傾斜する斜面を構成すれば、冷却駆動部品のモータやファンに対する負荷が最も少なくできるという利点がある。左仕切壁と右仕切壁との間には、下側から上側に行くに従って徐々に前側から後側に突出する斜面を構成する分離壁が設けられ、分離壁の下縁部が制御回路基板の上縁部に接触するかまたは接触する程度に近づいて配置されれば、冷却通路から導出壁の側に排出された空気が冷却駆動部品に適切に導入され、特定の電気部品の冷却効率が良好となるという利点がある。
【発明を実施するための最良の形態】
【０００６】
図１乃至図４は、空冷手段を備えた遊技画像表示装置を遊技電気部品冷却装置１の例とした、発明を実施するための最良の形態である。図１は、遊技電気部品冷却装置１の縦方向に切断した断面を示す。図２は、遊技電気部品冷却装置１を分解して示す。図３は、容器２、画像表示構造体４、隔壁構造体５、制御回路基板６、バックライト回路基板７を分解して示す。図４は、遊技電気部品冷却装置１の取り付けられた遊技盤９５を裏側から示す。本明細書において、「前」、「後」、「裏」、「左」、「右」、「上」、「下」の方向は、図４の状態に遊技電気部品冷却装置１および遊技盤９５を置いて矢印Ａで示す前側から見た場合に特定される方向である。「後」と「裏」とは同じ方向である。
【０００７】
図２を参照し、遊技電気部品冷却装置１の構造について説明する。遊技電気部品冷却装置１は、容器２と蓋３とが筐体を形成し、画像表示構造体４が容器２の裏側から容器２の内部前側に取り付けられ、隔壁構造体５と複数の電気部品の実装された制御回路基板６および複数の電気部品の実装されたバックライト回路基板７が容器２の裏側から容器２の内部後側に取り付けられ、ファン３５をモータで駆動する冷却駆動部品８が蓋３の前側から蓋３の内部に取り付けられ、蓋３が画像表示構造体４と隔壁構造体５と制御回路基板６およびバックライト回路基板７を覆い隠すように容器２の裏側から容器２に被せられ、タッピングスクリューのような止ねじ９が蓋３の裏側から蓋３の容器取付部としてのねじ挿入孔１０を経由して容器２の蓋取付部１１のねじ結合孔１２に締結されることによって、蓋３が容器２に装着され、画像表示構造体４と隔壁構造体５と制御回路基板６とバックライト回路基板７および冷却駆動部品８が容器２と蓋３とからなる筐体の内部空間に内蔵され、遊技電気部品冷却装置１が構成される。制御回路基板６は、画像表示構造体４を電気的に制御する。バックライト回路基板７は、画像表示構造体４のバックライト光源を電気的に駆動する。
【０００８】
蓋３の構造について説明すると、蓋３は、無色な合成樹脂のような光を透過する性質の有る材料により、ねじ挿入孔１０、蓋基盤１５、左側壁１６、右側壁１７、上側壁１８、下側壁１９、排気孔２０、冷却取付部２１、左仕切壁２２、右仕切壁２３、左容器逃避部２４、右容器逃避部２５、導入壁２６、狭窄壁２７、導出壁２８、分離壁２９、通気孔３０、コネクタ収容部３１、突起３２、固着取付部３３を一体に備えた形状に構成される。蓋基盤１５は、容器２の前面よりも大きな方形である。左側壁１６、右側壁１７、上側壁１８、下側壁１９は、蓋基盤１５の４つの周縁から前側に直角に突出する。これによって、蓋基盤１５の前側には、容器２を収容するための収容部が、前側に開口し、蓋基盤１５、左側壁１６、右側壁１７、上側壁１８、下側壁１９で囲まれた形状として形成される。
【０００９】
排気孔２０および冷却取付部２１は、蓋３が容器２に被せられた場合、制御回路基板６のＣＰＵ７３よりも上側でＣＰＵ７３の真上に配置される。ＣＰＵ７３は、冷却駆動部品８で最良に冷却するための特定の電気部品を構成する。排気孔２０は、蓋基盤１５に、前後方向への貫通孔として形成される。冷却取付部２１は、冷却駆動部品８を蓋３に取り付けるために、排気孔２０の周囲に配置され、蓋基盤１５に、前後方向に貫通したねじ挿入孔として形成される。左仕切壁２２は、排気孔２０および左側の冷却取付部２１よりも左側に配置され、蓋基盤１５から前側に突出し、上下方向に延びた縦壁を構成する。右仕切壁２３は、排気孔２０および右側の冷却取付部２１よりも右側に配置され、蓋基盤１５から前側に突出し、上下方向に延びた縦壁を構成する。左仕切壁２２および右仕切壁２３は、互いに、排気孔２０および冷却取付部２１を境として、左右に離れて平行に相対峙し、上側壁１８に個別に繋がる。
【００１０】
左容器逃避部２４は、左仕切壁２２と上側壁１８とが互いに接続された部分の前部に、前側および左右方向に開口した形態に設けられる。右容器逃避部２５は、右仕切壁２３と上側壁１８とが互いに接続された部分の前部に、前側および左右方向に開口した形態に設けられる。導入壁２６は、左仕切壁２２の下部と右仕切壁２３の下部との間において、下側から上側に行くに従って蓋基盤１５から前側に徐々に傾斜する平板状の斜面を構成する。導入壁２６の左縁部は、左仕切壁２２に繋がる。導入壁２６の右縁部は、右仕切壁２３に繋がる。狭窄壁２７および導出壁２８は、左仕切壁２２の中間部と右仕切壁２３の中間部との間に配置される。狭窄壁２７の左縁部は、左仕切壁２２に繋がる。狭窄壁２７の右縁端部は、右仕切壁２３に繋がる。狭窄壁２７の下縁部は、導入壁２６の上縁部に繋がる。狭窄壁２７の上縁部は、導出壁２８に繋がる。狭窄壁２７の前面は、導入壁２６の側から導出壁２８の側に行くに従って徐々に後側に傾斜する平板状の斜面を構成する。導出壁２８は、左仕切壁２２の中間部と右仕切壁２３の中間部との間において、下側から上側に行くに従って狭窄壁２７から蓋基盤１５の側である後側に徐々に傾斜する平板状の斜面を構成する。導出壁２８の左縁部は、左仕切壁２２に繋がる。導出壁２８の右縁端部は、右仕切壁２３に繋がる。導出壁２８の上縁部は、蓋基盤１５に繋がる。
【００１１】
分離壁２９は、左仕切壁２２の中間部と右仕切壁２３の中間部との間において、下側から上側に行くに従って後側から前側に徐々に傾斜する平板状の斜面を構成する。分離壁２９の左縁部は、左仕切壁２２に繋がる。分離壁２９の右縁端部は、右仕切壁２３に繋がる。分離壁２９の下縁部は、狭窄壁２７および導出壁２８から分離される。分離壁２９の上縁部は、左仕切壁２２の前面と右仕切壁２３の前面とを結ぶ面内に位置し、蓋基盤１５、左仕切壁２２、右仕切壁２３、導入壁２６、狭窄壁２７、導出壁２８から分離される。通気孔３０は、蓋基盤１５、上側壁１８、下側壁１９に設けられる。コネクタ収容部３１は、蓋基盤１５の左側部に前後方向への貫通孔として設けられる。突起３２および固着取付部３３は、遊技電気部品冷却装置１を図４の遊技盤９５の裏面に取り付けるための部分である。突起３２は、左右に分かれ、上側壁１８から上側に突出する。固着取付部３３は、左右に分かれ、下側壁１９から下側に突出する。固着取付部３３には、固着具３４が設けられる。
【００１２】
冷却駆動部品８は、合成樹脂からなる方形な筐体が前後方向への貫通孔を備え、貫通孔にはモータが配置され、モータのステータが筐体に複数の支持体で固定的に支持され、モータのロータには貫通孔に配置されたファン３５が一緒に回転するように結合される。冷却駆動部品８には、被覆電線からなるモータ引出線３７が、冷却駆動部品８の筐体から外部に延長して設けられる。冷却駆動部品８における筐体の四隅には、ねじ結合孔３６が前後方向への貫通孔として形成される。冷却駆動部品８が蓋３の前側から排気孔２０の周りにおける蓋基盤１５の裏面に重ね合わされ、タッピングスクリューのような止ねじ３８が蓋３の裏側から冷却取付部２１を経由して冷却駆動部品８のねじ結合孔３６に締結されることによって、冷却駆動部品８が蓋３に取り付けられる。冷却駆動部品８が蓋３に取り付けられた場合、モータ引出線３７は、蓋３の内部から上側壁１８に設けられた通気孔３０の一部を経由して蓋３の外部に引き出される。
【００１３】
図１に示すように、上記のように冷却駆動部品８の取り付けられた蓋３が容器２に被せられた場合、左容器逃避部２４および右容器逃避部２５には容器２の上側壁および隔壁構造体５の上側壁が取り込まれ、左仕切壁２２の下部と右仕切壁２３の下部との間にはＣＰＵ７３が左仕切壁２２および右仕切壁２３に接触しないように取り込まれ、左仕切壁２２の前面および右仕切壁２３の前面が隔壁構造体５の裏面および制御回路基板６の裏面に接触するかまたは接触する程度に近づき、狭窄壁２７の前面がＣＰＵ７３の裏面に近接されてＣＰＵ７３の裏面と対向し、狭窄壁２７の前面とＣＰＵ７３の裏面との間には前後方向の寸法の少ない狭小な冷却通路３９が形成され、導出壁２８および分離壁２９がＣＰＵ７３よりも上側に配置され、分離壁２９の下縁部が制御回路基板６の上縁部に接触するかまたは接触する程度に近づき、分離壁２９の上縁部が隔壁構造体５の裏面に接触するかまたは接触する程度に近づく。冷却通路３９における導入壁２６の側の前後方向の寸法ｂは、冷却通路３９における導出壁２８の側の前後方向の寸法Ｂよりも小さい（ｂ＜Ｂ）。狭窄壁２７の上下方向の長さは、ＣＰＵ７３の上下方向の長さよりも長い。狭窄壁２７がＣＰＵ７３よりも上方に突出する寸法Ｈは、狭窄壁２７がＣＰＵ７３よりも下方に突出する寸法ｈと同じである（Ｈ＝ｈ）。一例とし、Ｂ＝２乃至３ｍｍ、ｂ＝１乃至２ｍｍ、Ｈ＝ｈ＝５ｍｍ、ＣＰＵ７３の上下方向の長さは３２ｍｍである。
【００１４】
そして、モータのロータがモータに供給された電力で一方向に回転駆動すると、ファン３５が一方向に回転し、冷却駆動部品８の前側から貫通孔およびの排気孔２０を経由して冷却駆動部品８の筐体の裏側に流れる空気の流れを生成する。冷却駆動部品８のモータがファン３５を駆動すると、空気が筐体の外部から通気孔３０、筐体の内部、排気孔２０を順に経由して筐体の外部に排出されるように流れて電気部品を空冷する。この場合、筐体の内部において、空気は、矢印Ｘ１で示すように、ＣＰＵ７３よりも下側の導入壁２６、冷却通路３９、ＣＰＵ７３よりも上側の導出壁２８、冷却駆動部品８を経由して排気孔２０に至る。最良の形態では、寸法ｂ＜寸法Ｂの関係により、冷却通路３９が導入壁２６の側から導出壁２８の側に行くに従って徐々に前後方向に広くなっている。このため、空気が冷却通路３９を通過する場合、冷却駆動部品８のモータやファン３５に対する負荷が最も少なく、空気が冷却通路３９を通過する流速は、空気が導入壁２６よりも下側の内部空間や導出壁２８よりも上側の内部空間を通過する流速より速くなる。よって、ＣＰＵ７３が制御回路基板６やバックライト回路基板７に実装された他の電気部品よりも良好に冷却されるという利点がある。制御回路基板６やバックライト回路基板７に実装された他の電気部品としては、図３における画像データロム７４や電圧変換部品８７などである。また、左仕切壁２２の前面および右仕切壁２３の前面が隔壁構造体５の裏面および制御回路基板６の裏面に接触するかまたは接触する程度に近づいているので、空気が導入壁２６から冷却通路３９に適切に誘導され、空気が冷却通路３９から導出壁２８に適切に誘導され、ＣＰＵ７３が効率良く冷却されるという利点がある。さらに、分離壁２９の下縁部が制御回路基板６の上縁部に接触するかまたは接触する程度に近づき、分離壁２９の上縁部が隔壁構造体５の裏面に接触するかまたは接触する程度に近づいているので、冷却通路３９から導出壁２８の側に排出された空気が冷却駆動部品８に適切に導入され、ＣＰＵ７３の冷却効率が良好となるという利点がある。
【００１５】
図３を参照し、容器２、画像表示構造体４、隔壁構造体５、制御回路基板６、バックライト回路基板７のそれぞれにおける構造、それらの組立方について説明する。容器２は、鉄板のような金属板により、容器基盤４１、左側壁４２、右側壁４３、上側壁４４、下側壁４５、画像視認開口部４６、表示取付部４７、表示位置決め部４８、蓋取付部１１を一体に備えた構造に構成される。容器基盤４１は、画像表示構造体４の前面よりも大きな方形である。左側壁４２、右側壁４３、上側壁４４、下側壁４５は、容器基盤４１の４つの周縁から裏側に直角に折り曲げられる。これによって、容器基盤４１の裏側には、画像表示構造体４を収容するための収容部が、裏側に開口し、容器基盤４１、左側壁４２、右側壁４３、上側壁４４、下側壁４５で囲まれた形状として形成される。画像視認開口部４６は、画像表示構造体４の前面よりも小さな方形であって、容器基盤４１に、前後方向への貫通孔として設けられる。
【００１６】
表示取付部４７および表示位置決め部４８は、容器基盤４１に設けられる。表示取付部４７は、画像視認開口部４６よりも左側および右側に位置し、容器基盤４１の左右端部に２個ずつ設けられる。表示取付部４７は、容器基盤４１から裏側に直角に折り曲げられた突片の後部が右側または左側に直角に折り曲げられた形態である。よって、表示取付部４７は、容器基盤４１よりも裏側に離れて容器基盤４１と平行である。表示取付部４７には、画像表示構造体４を固定するためのねじ結合孔５０が、前後方向への貫通孔として形成される。容器基盤４１には、表示取付部４７を加工した後の残渣孔５１が形成される。表示位置決め部４８は、画像視認開口部４６よりも右側に位置し、容器基盤４１から裏側に直角に折り曲げられた形態である。容器基盤４１には、表示位置決め部４８を加工した後の残渣孔５２が形成される。蓋取付部１１は、左側壁４２および右側壁４３に設けられる。左側の蓋取付部１１は、上下に分かれ、左側壁４２から裏側に直線的に突出した突片の後部が右側に直角に折り曲げられた形態である。右側の蓋取付部１１は、上下に分かれ、右側壁４３から裏側に直線的に突出した突片の後部が左側に直角に折り曲げられた形態である。
【００１７】
画像表示構造体４の構造について説明すると、画像表示構造体４は、面状表示器、表示駆動回路基板、フレームなどの構成部品を備える。面状表示器は、電気的に表示形態の変えられる画像を前面側の方形な表示画面５４に表示する、液晶表示器またはプラズマディスプレイなどから構成される。最良の形態は、面状表示器として液晶表示器を採用した場合であって、液晶表示器の表示画面５４を全体的に照明するための、バックライト光源や導光部材および光拡散部材などからなるバックライト構成部材は、面状表示器に含まれる。表示駆動回路基板は、面状表示器の裏面に重ね合わされる。面状表示器および表示駆動回路基板がフレームで互いに組み立てられることによって、画像表示構造体４が構成される。画像表示構造体４には、容器取付部５５が、画像表示構造体４の左右端部に２箇所ずつ設けられる。容器取付部５５は、画像表示構造体４に、前後方向に貫通したねじ挿入孔として形成される。画像表示構造体４の左右方向の一端部には、画像表示構造体４から外部に延びた被覆電線からなるバックライト引出線５６が２本設けられる。バックライト引出線５６の端部にはコネクタ５７が設けられる。画像表示構造体４の裏面には、制御用のコネクタ５８が設けられる。
【００１８】
隔壁構造体５の構造について説明すると、隔壁構造体５は、鉄板のような金属板により、隔壁基盤６１、左側壁６２、上側壁６３、下側壁６４、容器取付部６５、制御基板取付部６６、ライト基板取付部６７、コネクタ挿入孔６８を一体に備えた構造に構成される。隔壁基盤６１は、画像表示構造体４の裏面と同じ大きさの方形である。左側壁６２、上側壁６３、下側壁６４は、隔壁基盤６１における左縁部、上縁部、下縁部なる３つの周縁から裏側に直角に折り曲げられる。容器取付部６５は、隔壁基盤６１の左右端部に２個ずつ設けられる。容器取付部６５は、隔壁基盤６１から前側に直角に折り曲げられた突片の前部が右側または左側に直角に折り曲げられた形態である。よって、容器取付部６５は、隔壁基盤６１から前側に離れて隔壁基盤６１と平行である。容器取付部６５には、ねじ挿入孔６９が、前後方向への貫通孔として形成される。
【００１９】
制御基板取付部６６は、隔壁基盤６１に複数設けられる。制御基板取付部６６は、隔壁基盤６１から裏側に直角に折り曲げられた突片の後部が右側または左側または上側または下側に直角に折り曲げられた形態である。よって、制御基板取付部６６は、隔壁基盤６１から裏側に離れて隔壁基盤６１と平行である。制御基板取付部６６には、ねじ結合孔７０が、前後方向への貫通孔として形成される。ライト基板取付部６７は、隔壁基盤６１の右端部に２個設けられる。ライト基板取付部６７は、隔壁基盤６１から裏側に直角に折り曲げられた突片の後部が上側または下側に直角に折り曲げられた形態である。よって、ライト基板取付部６７は、隔壁基盤６１から裏側に離れて隔壁基盤６１と平行である。ライト基板取付部６７には、ねじ結合孔７１が、前後方向への貫通孔として形成される。
【００２０】
制御回路基板６の構造について説明すると、制御回路基板６は、遊技機に搭載された電源装置から供給される電力で起動して制御処理を実行する部品であって、ＣＰＵ７３、画像データロム７４、コネクタ７５；７６；７７；７８、図外のインターフェース回路部品などの電気部品がプリント基板のような回路基板の表面に実装された構造である。ＣＰＵ７３、画像データロム７４、コネクタ７５乃至７８、図外のインターフェース回路部品などの電気部品の電気端子が回路基板の裏側から前側に突出し、電気端子が回路基板に敷設されたプリント電線と呼ばれる箔状電線で相互に配線される。制御回路基板６には、容器取付部７９が、回路基板に、前後方向に貫通したねじ挿入孔として形成される。容器取付部７９は、制御回路基板６を隔壁構造体５に固定するための部分である。コネクタ７５には、被覆電線からなる表示制御電線８０の一端に設けられたコネクタ８１が機械的に嵌め込まれて電気的に接続される。表示制御電線８０の他端にもコネクタ８２が設けられる。コネクタ７６には、被覆電線からなるバックライト電線８３の一端に設けられたコネクタ８４が機械的に嵌め込まれて電気的に接続される。バックライト電線８３の他端にもコネクタ８５が設けられる。図２の蓋３が容器２に装着される場合、コネクタ７７；７８は、蓋３の前側からコネクタ収容部３１に取り込まれる。
【００２１】
バックライト回路基板７の構造について説明すると、バックライト回路基板７は、制御回路基板６から供給される電力で画像表示構造体４のバックライト光源を点灯させる部品であって、電圧変換部品８７、コネクタ８８；８９、図外の回路素子などの電気部品がプリント基板のような回路基板の表面に実装された構造である。電圧変換部品８７やコネクタ８８；８９などの電気部品の電気端子が回路基板の裏側から前側に突出し、電気端子が回路基板に敷設されたプリント電線と呼ばれる箔状電線で相互に配線される。バックライト回路基板７には、容器取付部９０が、回路基板に、前後方向に貫通したねじ挿入孔として形成される。容器取付部９０は、バックライト回路基板７を隔壁構造体５に固定するための部分である。
【００２２】
画像表示構造体４、隔壁構造体５、制御回路基板６、バックライト回路基板７は、容器２に、次のように組み立てられる。先ず、画像表示構造体４および隔壁構造体５が容器２に取り付けられる。それには、表示画面５４が容器基盤４１の裏面の側に向けられ、２本のバックライト引出線５６が右側に配置され、画像表示構造体４が容器２の裏側から容器２の収容部に取り込まれ、画像表示構造体４の右面が表示位置決め部４８の左面に接触され、表示画面５４の中央部が画像視認開口部４６と対向し、表示画面５４の周縁部が容器基盤４１の裏面および表示取付部４７の裏面に重ね合わされ、バックライト引出線５６が容器２の外側に引き出される。その後、隔壁基盤６１の前面が画像表示構造体４の裏面の側に向けられ、隔壁構造体５が容器２の裏側から容器２の収容部に取り込まれ、コネクタ挿入孔６８にはコネクタ５８が挿入され、容器取付部６５の前面が画像表示構造体４の裏面に重ね合わされ、左側壁６２の左面が左側壁４２の右面に接触され、上側壁６３の上面が上側壁４４の下面に接触され、下側壁６４の下面が下側壁４５の上面に接触される。そして、タッピングスクリューのような止ねじ９１が、隔壁構造体５の裏側から、ねじ挿入孔６９および容器取付部５５を順に経由し、表示取付部４７のねじ結合孔５０に締結されることによって、画像表示構造体４および隔壁構造体５が容器２の内部に容器２の裏側から取り付けられる。
【００２３】
次に、制御回路基板６およびバックライト回路基板７が隔壁構造体５に取り付けられる。その場合、制御回路基板６が隔壁構造体５に取り付けられた後、バックライト回路基板７が隔壁構造体５に取り付けられるか、または、バックライト回路基板７が隔壁構造体５に取り付けられた後、制御回路基板６が隔壁構造体５に取り付けられるというように、制御回路基板６およびバックライト回路基板７のいずれが先に取り付けられてもよい。
【００２４】
制御回路基板６は、次のように取り付けられる。制御回路基板６の前面が隔壁基盤６１の裏面の側に向けられ、制御回路基板６が容器２の裏側から容器２の収容部に挿入され、制御回路基板６の上縁部がコネクタ挿入孔６８よりも下側に配置され、制御回路基板６の前面が制御基板取付部６６の裏面に重ね合わされ、タッピングスクリューのような止ねじ９２が制御回路基板６の裏側から容器取付部７９を経由して制御基板取付部６６のねじ結合孔７０に締結されることによって、制御回路基板６が隔壁構造体５に取り付けられる。つまり、制御回路基板６は、容器２の裏側から隔壁構造体５を介して容器２の内部裏側に取り付けられる。そして、表示制御電線８０のコネクタ８２がコネクタ５８に機械的に嵌め込まれて電気的に接続されるので、表示制御電線８０が容器２と制御回路基板６との間に挟まれることがなく、容器２と制御回路基板６との間に表示制御電線８０を通すための隙間を設ける必要がなく、容器２の前後方向の外形寸法を小さくすることができるという利点がある。
【００２５】
バックライト回路基板７は、次のように取り付けられる。バックライト回路基板７の前面が隔壁基盤６１の裏面の側に向けられ、バックライト回路基板７が容器２の裏側から容器２の収容部に挿入され、バックライト回路基板７の前面がライト基板取付部６７の裏面に重ね合わされ、タッピングスクリューのような止ねじ９３がバックライト回路基板７の裏側から容器取付部９０を経由してライト基板取付部６７のねじ結合孔７１に締結されることによって、バックライト回路基板７が画像表示構造体４よりも右側で裏側に位置して隔壁構造体５に取り付けられる。バックライト引出線５６のコネクタ５７がコネクタ８９に機械的に嵌め込まれて電気的に接続され、バックライト電線８３のコネクタ８５がコネクタ８８に機械的に嵌め込まれて電気的に接続されるので、バックライト引出線５６やバックライト電線８３が容器２とバックライト回路基板７との間に挟まれることがなく、容器２とバックライト回路基板７との間にバックライト引出線５６やバックライト電線８３を通すための隙間を設ける必要がなく、容器２の前後方向の外形寸法を小さくすることができるという利点がある。
【００２６】
図４を参照し、遊技電気部品冷却装置１が遊技盤９５に取り付けられるための取付構造について説明する。遊技盤９５の裏面には、取付台９６が止ねじのような取付具で遊技盤９５の裏側から取り付けられる。遊技盤９５は、遊技盤９５の前面における図外のガイドレールで囲まれた内側の遊技領域に入賞部品を備え、遊技領域から入賞部品に取り込まれたパチンコ球と呼ばれる球を遊技盤９５の裏側に排出する構造である。取付台９６は、セット板とも呼ばれ、入賞部品から遊技盤９５の裏側に排出された球を下方に誘導して排出する機能を備える。遊技盤９５および取付台９６には、図柄視認窓９７が、前後方向への貫通孔として形成される。図柄視認窓９７の周りの取付台９６の裏面には、部品係合部９８および部品固定部９９が設けられる。
【００２７】
遊技電気部品冷却装置１は、取付台９６に次のように取り付けられる。図３の表示画面５４が遊技盤９５の裏面の側に向けられるように、遊技電気部品冷却装置１の前面が遊技盤９５の裏面の側に向けられ、突起３２が遊技盤９５の裏側から部品係合部９８に下側から嵌め込まれ、突起３２と部品係合部９８との嵌め込まれた部分を中心とし、遊技電気部品冷却装置１が前側に移動されると、固着具３４が筒状の部品固定部９９の内部に挿入され、固着取付部３３が部品固定部９９の裏面に接触する。そして、固着具３４が人によって前側に押し込まれると、固着具３４の先端部に装着された図外の爪部材が径方向外側に広がって部品固定部９９の内部に係合し、遊技電気部品冷却装置１が取付台９６の裏面に固定的に取り付けられる。その後、被覆電線からなる図外の遊技制御電線の一端に設けられたコネクタが遊技電気部品冷却装置１のコネクタ７７；７８に機械的に嵌め込まれて電気的に接続され、遊技制御電線の他端に設けられたコネクタが主制御装置と呼ばれる図外の遊技制御装置のコネクタに機械的に嵌め込まれて電気的に接続される。遊技制御装置は、取付台９６または遊技盤９５の裏面または遊技盤９５の装着される遊技機枠に取り付けられる。また、遊技電気部品冷却装置１における筐体の内部から外部に引き出されたモータ引出線３７は、遊技制御装置または遊技制御装置からの出力で動作する制御装置に接続される。
【産業上の利用可能性】
【００２８】
図５は、他の形態に係る遊技電気部品冷却装置１の縦方向に切断した断面を示す。図５に示すように、狭窄壁２７の前面は、蓋基盤１５の前面と平行する平行面を構成する。そして、冷却駆動部品８の取り付けられた蓋３が容器２に被せられた場合、狭窄壁２７の前面がＣＰＵ７３の裏面と平行に対向し、狭窄壁２７の前面とＣＰＵ７３の裏面との間には前後方向の寸法の少ない狭小な冷却通路３９が形成される。冷却通路３９における前後方向の寸法Ｃは、図１に示す寸法ｂと同一に設定したが、図１に示す寸法Ｂと同一であってもよい。よって、空気が冷却通路３９を通過する場合、冷却駆動部品８のモータやファン３５に対する負荷が最良の形態より大きいが、空気が冷却通路３９を通過する流速は、最良の形態より速くなるので、適用可能である。なお、冷却駆動部品８のモータやファン３５に対する負荷と空気の冷却通路３９を通過する流速とを勘案し、寸法Ｃがどの程度の寸法まで許容できるかについて実験したところ、寸法Ｃが１０ｍｍ以下であれば、冷却駆動部品８のモータやファン３５への負荷が少なく、空気が冷却通路３９を通過する流速はＣＰＵ７３を適切に冷却する流速であり、ＣＰＵ７３が効果的に冷却される。図示は省略したが、狭窄壁２７がＣＰＵ７３よりも上方に突出する寸法Ｈ、狭窄壁２７がＣＰＵ７３よりも下方に突出する寸法ｈは、図１と同じである
【００２９】
画像表示構造体４がバックライトを必要としないものであれば、バックライト回路基板７は必要ない。蓋３はヒンジで開閉可能に容器２に連結してもよい。容器２は、前後方向に貫通する角筒体と、角筒体に設けられて前面の開口を塞ぐ前壁とを備え、角筒体が有色の合成樹脂または金属により構成され、前壁が光を透過する性質の有る無色の合成樹脂で構成されてもよい。良好に冷却するための電気部品は、ＣＰＵ７３以外の電気部品でもよい。
【図面の簡単な説明】
【００３０】
【図１】遊技電気部品冷却装置の縦断面図（最良の形態）。
【図２】遊技電気部品冷却装置の分解斜視図（最良の形態）。
【図３】容器、画像表示構造体、隔壁構造体、制御回路基板、バックライト回路基板の分解斜視図（最良の形態）。
【図４】遊技電気部品冷却装置の取り付けられた遊技盤の背面図（最良の形態）。
【図５】遊技電気部品冷却装置の縦断面図（他の形態）。
【符号の説明】
【００３１】
１  遊技電気部品冷却装置、２  容器、３  蓋、４  画像表示構造体、
６  制御回路基板、８  冷却駆動部品、２０  排気孔、２２  左仕切壁、
２３  右仕切壁、２６  導入壁、２７  狭窄壁、２８  導出壁、２９  分離壁、
３０  通気孔、３５  ファン、３９  冷却通路。
【図１】
2007068753.tif 000003
【図２】
2007068753.tif 000004
【図３】
2007068753.tif 000005
【図４】
2007068753.tif 000006
【図５】
2007068753.tif 000007